(57)【特許請求の範囲】
【請求項１】
（ａ）一対の型板間にキャビティが形成される成形用金型であって、
（ｂ）前記型板の少なくとも一方は、金属材から成るベース層、金属材から成る表面層、及び、前記ベース層と表面層との間に介在する熱反射層を備え、
（ｃ）該熱反射層は、多数の孔が打ち抜かれた多孔金属板から成り、
（ｄ）該多孔金属板と前記ベース層と表面層とは同一金属材から成り、
（ｅ）前記多孔金属板は前記ベース層と表面層とに拡散接合されて一体化され、
（ｆ）前記多孔金属板の孔は、両側を前記ベース層と表面層とによって塞がれ、内部に断熱材が封入されていることを特徴とする成形用金型。
【請求項２】
光ディスク、光学素子又は導光板を成形する請求項１に記載の成形用金型。
【発明の詳細な説明】
【技術分野】
【０００１】
本発明は、成形用金型に関するものである。
【背景技術】
【０００２】
従来、射出成形機等の成形機においては、加熱シリンダ内において加熱され、溶融させられた樹脂を高圧で射出して金型装置のキャビティに充填（てん）し、該キャビティ内において樹脂を冷却し、固化させることによって光ディスク等の成形品を成形するようになっている。
【０００３】
そのために、前記射出成形機は、固定側の金型組立体及び可動側の金型組立体から成る成形用金型、前記樹脂をキャビティに充填するための射出装置、並びに、前記可動側の金型組立体を固定側の金型組立体に対して接離させるための型締装置を備える。そして、該型締装置によって前記可動側の金型組立体を進退させ、成形用金型の型閉、型締及び型開を行い、型締時に、固定側の金型組立体の固定側型板と可動側の金型組立体の固定側型板との間にキャビティが形成される。
【０００４】
一方、前記射出装置は、樹脂を加熱して溶融させる加熱シリンダ、及び、該加熱シリンダの前端に取り付けられ、溶融させられた樹脂を射出する射出ノズルを備え、前記加熱シリンダ内にスクリュが回転可能に、かつ、進退可能に配設される。そして、該スクリュを、後端に配設された駆動部によって前進させることにより射出ノズルから樹脂が射出され、前記駆動部によって回転させることにより樹脂の計量が行われる。
【０００５】
ところで、成形品がＣＤやＤＶＤのような光ディスクである場合、該光ディスクの表面精度を向上させるために、スタンパと型板との間に断熱層を挿入したり、型板の鏡面に断熱層を形成することが提案されている（例えば、特許文献１〜３参照。）。これにより、スタンパ表面や型板の鏡面の初期冷却を遅延させ、成形された光ディスクの表面精度を向上させることができるとともに、金型温度を低下させることによってサイクルタイムを短縮することができる。
【特許文献１】特開平７−１７８７７４号公報
【特許文献２】特開平６−１９０８３３号公報
【特許文献３】特開２００２−３３１５５１号公報
【発明の開示】
【発明が解決しようとする課題】
【０００６】
しかしながら、前記従来の成形用金型においては、成形品の表面精度を十分に向上させることができなかった。型板の鏡面に断熱層を形成した場合、該断熱層は、樹脂、セラミクス等の材料から成るものなので、表面精度を型板の鏡面並に向上させることは極めて困難であり、光ディスクのように高い表面精度を要求される成形品を成形することができなくなってしまう。また、スタンパと型板との間に断熱層を挿入した場合、スタンパ本来の表面精度は高くても、断熱層の表面精度が低いので、スタンパの裏面が断熱層の表面に押し付けられると、断熱層表面の凹凸や歪（ゆが）みがスタンパの表面に転写されてしまうので、成形品の表面精度が低下してしまう。さらに、スタンパの裏面が凹凸や歪みのある断熱層表面に押し付けられるので、凹凸や歪みがスタンパの表面に転写されない場合であっても、スタンパの寿命が短くなってしまう。
【０００７】
もっとも、型板が取り付けられる金型のベースプレートと型板との間に断熱層を挿入することによって、断熱層の低い表面精度の影響がスタンパの表面や型板の鏡面に及ばないようにすることも考えられる。しかし、この場合、スタンパの表面や型板の鏡面から断熱層までの距離が長くなるので、スタンパの表面や型板の鏡面の初期冷却を適切に遅延させることができなくなってしまう。
【０００８】
本発明は、前記従来の成形用金型の問題点を解決して、金属材と金属材との間に熱反射層を介在させて一体化した型板を使用することによって、型板の表面を容易に加工することができ、該表面の精度を向上させ、前記表面又は該表面上に配設されたスタンパの表面の温度を適正に制御することができ、成形品を向上させ、成形サイクルを短縮してスループットを向上させることができる成形用金型を提供することを目的とする。
【課題を解決するための手段】
【０００９】
そのために、本発明の成形用金型においては、一対の型板間にキャビティが形成される成形用金型であって、前記型板の少なくとも一方は、金属材から成るベース層、金属材から成る表面層、及び、前記ベース層と表面層との間に介在する熱反射層を備え、該熱反射層は、多数の孔が打ち抜かれた多孔金属板から成り、該多孔金属板と前記ベース層と表面層とは同一金属材から成り、前記多孔金属板は前記ベース層と表面層とに拡散接合されて一体化され、前記多孔金属板の孔は、両側を前記ベース層と表面層とによって塞がれ、内部に断熱材が封入されている。
【００１１】
本発明の更に他の成形用金型においては、さらに、光ディスク、光学素子又は導光板を成形する。
【発明の効果】
【００１２】
本発明によれば、成形用金型においては、一対の型板間にキャビティが形成される成形用金型であって、前記型板の少なくとも一方は、金属材から成るベース層、金属材から成る表面層、及び、前記ベース層と表面層との間に介在する熱反射層を備え、該熱反射層は前記ベース層と表面層とに接合されて一体化されている。
【００１３】
この場合、型板の表面を容易に加工することができ、該表面の精度を向上させ、前記表面又は該表面上に配設されたスタンパの表面の温度を適正に制御することができ、成形品を向上させ、成形サイクルを短縮してスループットを向上させることができる。
【発明を実施するための最良の形態】
【００１４】
以下、本発明の実施の形態について図面を参照しながら詳細に説明する。
【００１５】
図１は本発明の実施の形態における成形用金型の構成を示す断面図、図２は本発明の実施の形態における成形用金型の型板の構成を示す断面図である。
【００１６】
図１において、１０は本実施の形態における成形用金型の可動側金型組立体であり、２０は前記成形用金型の固定側金型組立体である。前記成形用金型は、射出成形機等の成形機に適用され、光ディスク等の成形品を成形するために使用される金型である。なお、前記成形用金型は、押出成形装置、トランスファー成形装置、ダイキャストマシーン、ＩＪ封止プレス等の各種の成形機に適用することができるものであるが、本実施の形態においては、説明の都合上、射出成形機に適用したものとして説明する。
【００１７】
また、前記成形用金型は、いかなる種類の成形品の成形にも使用することができるものであるが、特に、ＣＤやＤＶＤのような光ディスク、レンズや光学フィルタのような光学素子、バックライトを備える液晶ディスプレイで使用される導光板等の高い精度を要する成形品の成形に好適である。そこで、本実施の形態においては、説明の都合上、成形用金型が光ディスクの成形に使用されるものとして説明する。
【００１８】
射出成形機は、図示されない射出装置、及び、前記可動側金型組立体１０を固定側金型組立体２０に対して接離させるための型締装置を備える。そして、前記可動側金型組立体１０は型締装置の可動プラテンにボルト等の固定手段によって取り付けられ、前記固定側金型組立体２０は型締装置の固定プラテンにボルト等の固定手段によって取り付けられる。
【００１９】
ここで、前記可動側金型組立体１０は、可動プラテンに取り付けられる可動側ベースプレート１１、及び、該可動側ベースプレート１１に固定された可動側の型板としての可動側ミラーブロック１２を有する。なお、該可動側ミラーブロック１２は、図示されないボルト等の固定手段によって可動側ベースプレート１１に固定された支持ブロック１５により、可動側ベースプレート１１に固定されている。また、前記可動側ミラーブロック１２の固定側金型組立体２０に対向する面（図１における下向きの面）、すなわち、キャビティ面は、鏡面加工が施され、表面精度の高い面となっている。
【００２０】
そして、前記可動側金型組立体１０は、可動側ベースプレート１１及び可動側ミラーブロック１２の中心部を貫通して軸方向（図１における上下方向）に延在する摺（しゅう）動可能なカットパンチ１６を有する。該カットパンチ１６は、図示されない駆動装置によって、軸方向に移動させられる。さらに、可動側ミラーブロック１２の可動側ベースプレート１１側の面には、温調媒体流通溝１４が形成されている。該温調媒体流通溝１４は、可動側ベースプレート１１によって開放端を閉止されることにより、可動側ミラーブロック１２の温度を調節するための温調媒体が流通する温調媒体流路として機能する。なお、前記温調媒体は、通常、水、油等の媒体であり、所定の温度となるように可動側ミラーブロック１２を冷却する。
【００２１】
一方、前記固定側金型組立体２０は、固定プラテンに取り付けられる固定側ベースプレート２１、及び、該固定側ベースプレート２１に固定された固定側の型板としての固定側ミラーブロック２２を有する。なお、該固定側ミラーブロック２２は、図示されないボルト等の固定手段によって固定側ベースプレート２１に固定された支持ブロック２５により、固定側ベースプレート２１に固定されている。また、前記固定側ミラーブロック２２の可動側金型組立体１０に対向する面（図１における上向きの面）、すなわち、キャビティ面は、鏡面加工が施され、表面精度の高い面となっている。
【００２２】
そして、前記固定側金型組立体２０は、固定側ベースプレート２１及び固定側ミラーブロック２２の中心部を貫通して軸方向に延在するスプルーブッシュ２６を有する。該スプルーブッシュ２６には、中心部を貫通して軸方向に延在する樹脂流路２６ａが形成され、射出装置の射出ノズルから射出された成形材料としての樹脂が前記樹脂流路２６ａに供給される。なお、前記射出装置は、樹脂を加熱して溶融させる加熱シリンダ、及び、該加熱シリンダの前端に取り付けられ、溶融させられた樹脂を射出する射出ノズルを備え、前記加熱シリンダ内にスクリュが回転可能に、かつ、進退可能に配設される。
【００２３】
また、成形材料としての樹脂は、熱可塑性樹脂又は熱硬化性樹脂であり、例えば、ＰＶＣ（ポリ塩化ビニル）、ＰＳ（ポリスチレン）、発泡ポリスチレン、ＰＰ（ポリプロピレン）、ＰＥＴ（ポリエチレンテレフタレート）、ＰＣ（ポリカーボネイト）、ＰＭＭＡ（ポリメタクリル酸メチル）、ＨＤＰＥ（高密度ポリエチレン）、ＡＳ（スチレン／アクリロニトリル）、ＡＢＳ樹脂、メタクリル樹脂、生分解性樹脂等であるが、いかなる樹脂であってもよい。さらに、高耐熱性樹脂、スーパーエンジニアリングプラスチック、難燃剤が添加された樹脂、ガラス繊維等のフィラーが混入された樹脂、化学発泡剤が添加された樹脂等であってもよい。なお、光ディスクの成形の場合には、ＰＣ又はＰＭＭＡが一般的に使用されるので、本実施の形態においては、説明の都合上、前記樹脂がＰＣ又はＰＭＭＡであるものとして説明する。
【００２４】
さらに、固定側ミラーブロック２２の固定側ベースプレート２１側の面には、温調媒体流通溝２４が形成されている。該温調媒体流通溝２４は、固定側ベースプレート２１によって開放端を閉止されることにより、可動側ミラーブロック１２の場合と同様に、固定側ミラーブロック２２の温度を調節するための温調媒体が流通する温調媒体流路として機能する。
【００２５】
そして、前記固定側ミラーブロック２２のキャビティ面上には、光ディスクの情報面に所定形状の凹凸を形成するためのスタンパ３１が配設されている。該スタンパ３１は、可動側金型組立体１０に対向する面に前記凹凸を形成するための凹凸が形成されたドーナツ型の円盤状の薄板部材であり、その外周がスタンパ固定リング３２によって、また、その内周が内周ホルダ２７の鍔（つば）部２７ａによって固定側ミラーブロック２２に固定されている。
【００２６】
図１に示される例においては、成形用金型が型閉された状態になっていて、一対の型板の間、すなわち、可動側ミラーブロック１２と固定側ミラーブロック２２との間に閉鎖空間であるキャビティ３３が形成されている。該キャビティ３３は、成形品である光ディスクに対応した円盤状の形状を有する。なお、前記キャビティ３３の外周面はスタンパ固定リング３２によって画定されている。
【００２７】
ところで、本実施の形態において、可動側ミラーブロック１２は、土台となる部分であるベース層１２ａ、該ベース層１２ａ上に積層された熱反射層１２ｂ、及び、該熱反射層１２ｂ上に積層された表面層１２ｃから成る三層構造を有する。そして、図２には、可動側ミラーブロック１２の三層構造を説明するための断面図が示されている。なお、図２において、１７はカットパンチ１６が収容される貫通孔である。
【００２８】
また、固定側ミラーブロック２２も、前記可動側ミラーブロック１２と同様に、土台となる部分であるベース層２２ａ、該ベース層２２ａ上に積層された熱反射層２２ｂ、及び、該熱反射層２２ｂ上に積層された表面層２２ｃから成る三層構造を有する。なお、固定側ミラーブロック２２の三層構造は、可動側ミラーブロック１２の三層構造と同様である。そこで、図２を参照して可動側ミラーブロック１２の三層構造を説明し、固定側ミラーブロック２２の三層構造についての説明は省略する。
【００２９】
この場合、ベース層１２ａ及び表面層１２ｃは金属材から成る。該金属材は、通常の成形用金型で使用される金属材と同様のものであり、例えば、構造用炭素鋼、ステンレス鋼等であるが、時効硬化鋼のような特殊鋼であってもよいし、焼結材であってもよいし、いかなる種類の金属材であってもよい。また、ベース層１２ａの金属材と表面層１２ｃの金属材とは同一のものであってもよいし、異なるものであってもよい。例えば、ベース層１２ａの金属材よりも硬度の高い金属材を表面層１２ｃに使用してもよい。さらに、固定側ミラーブロック２２のベース層２２ａ及び表面層２２ｃは、可動側ミラーブロック１２のベース層１２ａ及び表面層１２ｃと同一の金属材から成るものであってもよいし、異なる金属材から成るものであってもよい。
【００３０】
また、熱反射層１２ｂは、例えば、セラミクス、プラスチック複合材、ガラス、ポリイミドのような樹脂等の断熱材から成るものであってもよいし、多数の孔（あな）が打ち抜かれた多孔金属板であるパンチングメタルから成るものであってもよい。なお、該パンチングメタルの金属板は、ベース層１２ａ及び表面層１２ｃと同一の金属材から成るものであってもよいし、異なる金属材から成るものであってもよい。前記熱反射層１２ｂがパンチングメタルから成るものである場合、該パンチングメタルの多数の孔が、両側をベース層１２ａ及び表面層１２ｃによって塞（ふさ）がれ、空気を封印した多数の密閉小空間となるので、前記パンチングメタルは断熱性を備えたものとなる。あるいはまた、この密閉小空間にセラミクス等の断熱材を溶射等によって封入してもよい。
【００３１】
なお、前記熱反射層１２ｂは、可動側ミラーブロック１２のキャビティ面近くに配設されていることが望ましい。そのため、図２に示される例において、表面層１２ｃの厚さαは、例えば、１〔ｍｍ〕程度である。なお、熱反射層１２ｂの厚さβは、例えば、０．５〔ｍｍ〕程度である。
【００３２】
そして、前記熱反射層１２ｂは、放電プラズマ接合、拡散接合、溶接等の方法によって、ベース層１２ａ及び表面層１２ｃに接合されているので、ベース層１２ａ、熱反射層１２ｂ及び表面層１２ｃは一体化された状態となっている。この場合、熱反射層１２ｂは、ベース層１２ａ及び表面層１２ｃとの境界面全域においてベース層１２ａ及び表面層１２ｃに接合されてもよいし、前記境界面の一部においてベース層１２ａ及び表面層１２ｃに接合されてもよい。そして、ベース層１２ａ、熱反射層１２ｂ及び表面層１２ｃが一体化されているので、可動側ミラーブロック１２は、金属材から成る単一のブロックと同様に取り扱うことができ、従来の成形用金型における型板の場合と同様の方法によって加工を施すことができる。したがって、表面層１２ｃの表面であるキャビティ面は、従来の成形用金型における型板の場合と同様に、鏡面加工を施すことができ、表面精度の高い鏡面となっている。
【００３３】
また、熱反射層１２ｂの表面精度が低く、熱反射層１２ｂの表面に凹凸や歪みがある場合でも、熱反射層１２ｂをベース層１２ａ及び表面層１２ｃに接合して一体化した後に、表面層１２ｃのキャビティ面に加工を施すので、表面層１２ｃの厚さが薄くても、熱反射層１２ｂの表面の凹凸や歪みが加工後の表面層１２ｃのキャビティ面に影響を及ぼすことがない。したがって、表面層１２ｃのキャビティ面は、熱反射層１２ｂの影響を受けることなく、表面精度の高い面となっている。
【００３４】
なお、図１に示される例においては、固定側ミラーブロック２２のキャビティ面、すなわち、表面層２２ｃのキャビティ面上にスタンパ３１が配設されている。この場合、可動側ミラーブロック１２の表面層１２ｃと同様に、固定側ミラーブロック２２の表面層２２ｃのキャビティ面は、熱反射層２２ｂの影響を受けることなく、表面精度の高い面となっている。そのため、スタンパ３１の表面に、「発明が解決しようとする課題」で説明したような凹凸や歪みが転写されてしまうことがない。また、スタンパ３１の寿命が短くなってしまうこともない。
【００３５】
次に、前記構成の成形用金型の動作について説明する。
【００３６】
まず、射出成形機の型締装置が作動し、可動プラテンを固定プラテンに向けて移動させて型閉が行われる。型閉が完了すると、成形用金型は、図１に示されるような状態になる。そして、射出装置において計量工程が終了した後、射出ノズルの先端をスプルーブッシュ２６に押し付け、加熱シリンダ内のスクリュを前進させると、溶融されて計量された樹脂が射出ノズルから射出され、樹脂流路２６ａを通ってキャビティ３３内に充填される。このとき、樹脂流路２６ａから流出した樹脂は、カットパンチ１６先端の突出部とスプルーブッシュ２６先端の突出部との間に形成されたゲート部３４を通り、キャビティ３３内に流入する。
【００３７】
ここで、該キャビティ３３内に流入した樹脂は、高温なので、可動側ミラーブロック１２及び固定側ミラーブロック２２に熱を奪われ、特に、キャビティ面及びスタンパ３１の表面に接した部分の樹脂が冷却される。しかし、断熱性を備えた熱反射層１２ｂ及び熱反射層２２ｂが存在するので、樹脂の熱は、熱容量が大きく、温調媒体によって冷却されているベース層１２ａ及びベース層２２ａへ伝達されることがない。そして、キャビティ面及びスタンパ３１の表面に接した部分の樹脂の温度は、一旦（たん）低下するものの、すぐに上昇する。この場合、前記熱反射層１２ｂ及び熱反射層２２ｂが樹脂の熱を反射する機能を発揮する。なお、表面層１２ｃ及び表面層２２ｃの厚さが薄いほど、前記熱反射層１２ｂ及び熱反射層２２ｂの熱を反射する機能が大きく発揮されるので、前記表面層１２ｃ及び表面層２２ｃの厚さは薄い方が望ましい。
【００３８】
このように、前記熱反射層１２ｂ及び熱反射層２２ｂの機能によって、キャビティ面及びスタンパ３１の表面に接した部分の樹脂は、急冷されることがない。すなわち、キャビティ面及びスタンパ３１の表面に接した部分の樹脂の初期冷却が遅延される。そのため、分子の配向状態等の性質が他の部分の樹脂と同様になるので、成形後において、キャビティ面及びスタンパ３１の表面に接した部分の樹脂の屈折率等の光学的性質が他の部分の樹脂と同様になり、成形品全体において、光学的性質が均一となる。
【００３９】
そして、キャビティ３３内に充填され、ゲート部３４の樹脂が固化すると、型締装置によって型締が行われ、成形用金型に型締力が加えられる。これにより、情報面にスタンパ３１の凹凸が転写された光ディスクが成形される。この場合、スタンパ３１の表面に、「発明が解決しようとする課題」で説明したような凹凸や歪みが転写されてしまうことがないので、スタンパ３１が本来備える凹凸が正確に転写される。
【００４０】
続いて、キャビティ３３内の樹脂が冷却されると、カットパンチ１６が前進させられ、該カットパンチ１６先端の突出部とスプルーブッシュ２６先端の突出部とが協働して、ゲート部３４において樹脂を切断する。これにより、ドーナツ型の円盤状の光ディスクが成形される。そして、成形用金型の型開が行われ、光ディスクがキャビティ３３から取り出される。この場合、光学的性質が均一な高精度の光ディスクを得ることができる。
【００４１】
また、断熱性を備えた熱反射層１２ｂ及び熱反射層２２ｂの存在によって、表面層１２ｃ及び表面層２２ｃとベース層１２ａ及びベース層２２ａとの間での熱伝達が遮断されるので、ベース層１２ａ及びベース層２２ａの温度を低くしても、樹脂がキャビティ３３内に流入した際に、キャビティ面に接した部分の樹脂の温度が大きく低下してしまうことがなく、初期冷却を遅延させることができる。そのため、ベース層１２ａ及びベース層２２ａの温度を低く設定することができ、成形用金型の冷却速度を高めることができる。したがって、成形サイクルのサイクルタイムを短縮することができ、スループットを向上させることができる。
【００４２】
このように、本実施の形態において、可動側ミラーブロック１２は金属材から成るベース層１２ａ、金属材から成る表面層１２ｃ、及び、前記ベース層１２ａと表面層１２ｃとの間に介在する熱反射層１２ｂを備え、該熱反射層１２ｂは前記ベース層１２ａと表面層１２ｃとに接合されて一体化されている。また、同様に、固定側ミラーブロック２２は金属材から成るベース層２２ａ、金属材から成る表面層２２ｃ、及び、前記ベース層２２ａと表面層２２ｃとの間に介在する熱反射層２２ｂを備え、該熱反射層２２ｂは前記ベース層２２ａと表面層２２ｃとに接合されて一体化されている。なお、前記熱反射層１２ｂ及び熱反射層２２ｂは、断熱材又は多孔金属板から成るものである。
【００４３】
そのため、可動側ミラーブロック１２及び固定側ミラーブロック２２は、金属材から成る単一のブロックと同様に取り扱うことができ、従来の成形用金型における型板の場合と同様の方法によって加工を施すことができる。したがって、表面層１２ｃ及び表面層２２ｃの表面は、従来の成形用金型における型板の場合と同様に、鏡面加工を施すことができ、表面精度の高い鏡面とすることができる。
【００４４】
また、固定側ミラーブロック２２の表面層２２ｃ上に配設されたスタンパ３１は、表面層２２ｃの表面が表面精度の高い鏡面となっているので、凹凸や歪みが転写されることがなく、かつ、寿命が短くなることもない。
【００４５】
さらに、断熱性を備えた熱反射層１２ｂ及び熱反射層２２ｂの存在によって、表面層１２ｃ及び表面層２２ｃとベース層１２ａ及びベース層２２ａとの間での熱伝達が遮断される。そのため、キャビティ３３内に流入した樹脂の初期冷却を遅延させることができ、高品質の成形品を得ることができる。また、ベース層１２ａ及びベース層２２ａの温度を低く設定することができるので、成形サイクルのサイクルタイムを短縮することができ、スループットを向上させることができる。
【００４６】
なお、本実施の形態においては、可動側ミラーブロック１２及び固定側ミラーブロック２２の両方が熱反射層１２ｂ及び熱反射層２２ｂを備える場合について説明したが、可動側ミラーブロック１２又は固定側ミラーブロック２２のいずれか一方のみが熱反射層１２ｂ又は熱反射層２２ｂを備えるようにしてもよい。
【００４７】
また、本実施の形態においては、固定側ミラーブロック２２のみにスタンパ３１が配設された場合について説明したが、該スタンパ３１は、可動側ミラーブロック１２及び固定側ミラーブロック２２の両方に配設してもよいし、可動側ミラーブロック１２のみに配設してもよいし、可動側ミラーブロック１２及び固定側ミラーブロック２２のいずれにも配設しないようにしてもよい。
【００４８】
さらに、本実施の形態においては、光ディスクの成形を例に取ったため、表面層１２ｃ及び表面層２２ｃの表面が平面である場合について説明したが、表面層１２ｃ及び表面層２２ｃの表面形状は、成形品の形状に対応した形状のキャビティを形成する面であるので、成形品の形状に応じて、凹面であってもよいし、凸面であってもよいし、任意の形状とすることができる。
【００４９】
なお、本発明は前記実施の形態に限定されるものではなく、本発明の趣旨に基づいて種々変形させることが可能であり、それらを本発明の範囲から排除するものではない。
【図面の簡単な説明】
【００５０】
【図１】本発明の実施の形態における成形用金型の構成を示す断面図である。
【図２】本発明の実施の形態における成形用金型の型板の構成を示す断面図である。
【符号の説明】
【００５１】
１２    可動側ミラーブロック
１２ａ、２２ａ    ベース層
１２ｂ、２２ｂ    熱反射層
１２ｃ、２２ｃ    表面層
２２    固定側ミラーブロック
３３    キャビティ
【図１】
0004694287.tif 000002
【図２】
0004694287.tif 000003